(57)【要約】【課題】  インターネット上の広告宣伝分野において、クライアント端末のユーザに対する効果的な広告宣伝手段を広告主に提供し、また有益な広告宣伝情報をユーザに提供する。【解決手段】  クライアント端末のユーザに対して広告配信を可能にするアプリケーションを、インターネットを介して配布する。アプリケーションは、例えば、ユーザがスマートフォン端末をスリープモードから復帰する際に行う、セキュリティロック解除直後に広告を表示することについて許可を求め、許可を得たユーザに対してセキュリティロック解除直後に広告を表示する。配信される広告は、例えば、GPS、時間帯及びユーザがアプリケーション登録時に提供する性別、生年月日の情報を参照して決定され、広告主にとっては訴求力の高い効果的な広告宣伝手段を、ユーザにとっては有益な広告宣伝情報を受け取る機会を提供することが出来る。【選択図】図３
2015045827.tif 000002
【特許請求の範囲】
【請求項１】
広告情報を受信可能なクライアント端末と、前記クライアント端末に前記広告情報を配信する広告配信装置とを備えた通信システムであって、
前記クライアント端末が、
受信した前記広告情報に基づく広告を表示する広告表示手段
を備え、
前記広告配信装置が、
前記広告情報を前記クライアント端末に送信する広告情報送信手段と、
送信する前記広告情報を、前記クライアント端末のユーザの情報であるユーザ情報に基づいて選択する広告情報選択手段と、
を備え、
前記広告表示手段が、前記クライアント端末を使用しているユーザの前記ユーザ情報に基づいて選択された前記広告情報に基づく広告を所定のタイミングで表示することを特徴とする通信システム。
【請求項２】
前記クライアント端末が、前記広告表示手段を制御する広告制御手段をさらに有し、前記広告制御手段が、前記クライアント端末におけるアプリケーションの使用開始時または使用終了時に広告を表示するように広告表示のタイミングを制御することを特徴とする、請求項１に記載の通信システム。
【請求項３】
前記広告制御手段が、前記クライアント端末のセキュリティロック解除時に広告を表示するように広告表示のタイミングを制御することを特徴とする、請求項２に記載の通信システム。
【請求項４】
前記クライアント端末が、前記広告情報を記憶する端末側広告情報記憶手段をさらに有することを特徴とする、請求項１に記載の通信システム。
【請求項５】
前記クライアント端末において、前記広告情報を受信可能なアプリケーションがインストールされていることを特徴とする、請求項１に記載の通信システム。
【請求項６】
前記ユーザ情報が、ユーザの性別、生年月日、当該クライアント端末のGPS情報、端末情報の少なくともいずれかを含むことを特徴とする、請求項１に記載の通信システム。
【請求項７】
前記広告配信装置が、前記ユーザ情報を記憶するユーザ情報記憶手段をさらに有することを特徴とする、請求項１に記載の通信システム。
【請求項８】
前記広告配信装置が、前記広告情報と、前記広告情報を配信する条件についての情報である広告配信条件情報とを記憶する配信側記憶手段をさらに有することを特徴とする、請求項１に記載の通信システム。
【請求項９】
前記広告配信装置が、
前記クライアント端末にインストールされたアプリケーションと通信し、前記クライアント端末での広告表示実績および／または広告クリック実績を示す実績情報を受信する実績情報受信手段と、
前記実績情報を記憶する実績情報記憶手段とをさらに有することを特徴とする、請求項１に記載の通信システム。
【請求項１０】
請求項１〜９のいずれかに記載の通信システムにおいて用いられるクライアント端末。
【請求項１１】
請求項１〜９のいずれかに記載の通信システムにおいて用いられる広告配信装置。
【請求項１２】
広告情報を受信可能なクライアント端末において、広告配信装置から前記広告情報を配信して広告を表示する方法であって、
前記広告配信装置が、送信する前記広告情報を、前記クライアント端末のユーザの情報であるユーザ情報に基づいて選択する広告情報選択工程と、
前記広告配信装置が、前記広告情報を前記クライアント端末に送信する広告情報送信工程と、
前記クライアント端末が、受信した前記広告情報に基づく広告を表示する広告表示工程とを備え、
前記広告表示工程において、前記広告表示手段が、前記クライアント端末を使用しているユーザの前記ユーザ情報に基づいて選択された前記広告情報に基づく広告を所定のタイミングで表示することを特徴とする、広告を表示する方法。
【請求項１３】
広告情報を受信可能なクライアント端末と、前記クライアント端末に前記広告情報を配信する広告配信装置とを備えた通信システムにおける広告表示プログラムであって、
前記広告配信装置の広告情報選択手段が、送信する前記広告情報を、前記広告情報を受信するクライアント端末のユーザの情報であるユーザ情報に基づいて選択する広告情報選択ステップと、
前記広告配信装置の広告情報送信手段が、前記広告情報を前記クライアント端末に送信する広告情報送信ステップと、
前記クライアント端末が、受信した前記広告情報であって、前記クライアント端末を使用しているユーザの前記ユーザ情報に基づいて選択された前記広告情報に基づく広告を所定のタイミングで表示する広告表示ステップと、
をコンピュータに実行させることを特徴とする、広告表示プログラム。
【請求項１４】
請求項１３に記載の広告表示プログラムを記憶したことを特徴とする記憶媒体。
【発明の詳細な説明】
【技術分野】
【０００１】
本発明は、クライアント端末に適した広告宣伝の技術に関する。より具体的には、広告表示可能なクライアント端末、広告配信装置、及びそれらを含む通信システムに関する。
【背景技術】
【０００２】
近年、インターネットに代表される通信ネットワークの普及発達に伴い、いわゆるウェブ広告が一般化している。
とくに、急速な普及が進んでいる携帯型インターネット端末（以下「スマートフォン」と総称する）においては様々な広告手法が考案され、その一例はスマートフォンに搭載されているGPS情報を参照して当該ユーザに適切な広告を配信するものである（例えば、特許文献１参照）。
【０００３】
クライアント端末は様々な機能を有し、例えばスマートフォンは、ユーザに対して電話やメール機能以外にも多くの利便性を提供する。ウェブ閲覧はもちろんのこと、目的に応じて任意のアプリケーション（例えばゲームや電子書籍）をスマートフォンにインストールすれば、ユーザは必ずしもウェブを開くことなく、スマートフォンを活用することが可能である。このようなスマートフォンの利用方法の多様化により、常に、ユーザにとって関心のあるウェブ広告のみを選択的に表示することは困難となり、ウェブ広告の訴求力を相対的に低下させることとなった。このため、広告主がスマートフォンなどのクライアント端末のユーザに効果的な広告宣伝を行う上では、クライアント端末上でウェブ広告以外の広告宣伝方法を考案する必要があった。
【０００４】
このような問題に対し、従来はウェブ閲覧時に表示していたウェブ広告を、ユーザが利用するアプリケーション上にも表示する試みが行われていた。
【先行技術文献】
【特許文献】
【０００５】
【特許文献１】特開２０１１−１７０８６４
【発明の概要】
【発明が解決しようとする課題】
【０００６】
しかしながら、上記のようなアプリケーション上での広告表示手法は、広告を表示する面積や数などの機会に限りがあり、またアプリケーションを使用する意思を持ったユーザは、必ずしも広告に対する関心を有するわけではない。従って、このようなユーザへの広告表示機会は、広告主にとって期待する広告効果が得にくい場合があり、ユーザによるクライアント端末の多様な活用機会を阻害せず、広告主にとって効果的な広告宣伝を実現することは困難であった。
【０００７】
上記の課題に対し、本発明の目的は、クライアント端末上の広告宣伝分野において、クライアント端末のユーザに対する効果的な広告宣伝手段を広告主に提供し、また有益な広告宣伝情報をユーザに提供することである。
【課題を解決するための手段】
【０００８】
上記課題は、以下の本発明によって解決することが出来る。
［１］広告情報を受信可能なクライアント端末と、クライアント端末に広告情報を配信する広告配信装置とを備えた通信システムであって、クライアント端末が、受信した広告情報に基づく広告を表示する広告表示手段を備え、
広告配信装置が、広告情報をクライアント端末に送信する広告情報送信手段と、送信する広告情報を、クライアント端末のユーザの情報であるユーザ情報に基づいて選択する広告情報選択手段とを備え、
広告表示手段が、クライアント端末を使用しているユーザのユーザ情報に基づいて選択された広告情報に基づく広告を所定のタイミングで表示することを特徴とする通信システムである。
［２］クライアント端末が、広告表示手段を制御する広告制御手段をさらに有し、広告制御手段が、クライアント端末におけるアプリケーションの使用開始時または使用終了時に広告を表示するように広告表示のタイミングを制御することを特徴とする、上記［１］に記載の通信システムである。
［３］広告制御手段が、クライアント端末のセキュリティロック解除時に広告を表示するように広告表示のタイミングを制御することを特徴とする、上記［２］に記載の通信システムである。
［４］クライアント端末が、広告情報を記憶する端末側広告情報記憶手段をさらに有することを特徴とする、上記［１］に記載の通信システムである。
［５］クライアント端末において、広告情報を受信可能なアプリケーションがインストールされていることを特徴とする、上記［１］に記載の通信システムである。
［６］ユーザ情報が、ユーザの性別、生年月日、当該クライアント端末のGPS情報、端末情報の少なくともいずれかを含むことを特徴とする、上記［１］に記載の通信システムである。
［７］広告配信装置が、ユーザ情報を記憶するユーザ情報記憶手段をさらに有することを特徴とする、上記［１］に記載の通信システムである。
［８］広告配信装置が、広告情報と、広告情報を配信する条件についての情報である広告配信条件情報とを記憶する配信側記憶手段をさらに有することを特徴とする、上記［１］に記載の通信システムである。
［９］広告配信装置が、クライアント端末にインストールされたアプリケーションと通信し、クライアント端末での広告表示実績および／または広告クリック実績を示す実績情報を受信する実績情報受信手段と、実績情報を記憶する実績情報記憶手段とをさらに有することを特徴とする、上記［１］に記載の通信システムである。
［１０］上記［１］〜［９］のいずれかに記載の通信システムにおいて用いられるクライアント端末である。
［１１］上記［１］〜［９］のいずれかに記載の通信システムにおいて用いられる広告配信装置である。
［１２］広告情報を受信可能なクライアント端末において、広告配信装置から広告情報を配信して広告を表示する方法であって、広告配信装置が、送信する広告情報を、クライアント端末のユーザの情報であるユーザ情報に基づいて選択する広告情報選択工程と、広告配信装置が、広告情報をクライアント端末に送信する広告情報送信工程と、クライアント端末が、受信した広告情報に基づく広告を表示する広告表示工程とを備え、
広告表示工程において、広告表示手段が、クライアント端末を使用しているユーザのユーザ情報に基づいて選択された広告情報に基づく広告を所定のタイミングで表示することを特徴とする、広告を表示する方法である。
［１３］広告情報を受信可能なクライアント端末と、クライアント端末に広告情報を配信する広告配信装置とを備えた通信システムにおける広告表示プログラムであって、広告配信装置の広告情報選択手段が、送信する広告情報を、広告情報を受信するクライアント端末のユーザの情報であるユーザ情報に基づいて選択する広告情報選択ステップと、広告配信装置の広告情報送信手段が、広告情報をクライアント端末に送信する広告情報送信ステップと、クライアント端末が、受信した広告情報であって、クライアント端末を使用しているユーザのユーザ情報に基づいて選択された広告情報に基づく広告を所定のタイミングで表示する広告表示ステップと、をコンピュータに実行させることを特徴とする、広告表示プログラムである。
［１４］上記［１３］に記載の広告表示プログラムを記憶したことを特徴とする記憶媒体である。
【０００９】
アプリケーションは、例えば、ユーザがスマートフォン端末をスリープモードから復帰する際に行う、セキュリティロック解除の直後に広告を表示することについて許可を求め、許可を得たユーザに対してセキュリティロック解除直後に広告を表示する。
本発明によれば、ユーザに配信する広告情報は、詳細を後述するユーザ情報等に基づいて選択されるため、各ユーザにとって関心の高いと予想される適切な広告情報が、効果的な広告表示手法によって提供される。
【発明の効果】
【００１０】
本発明によれば、例えばセキュリティロック解除後に表示される広告は、ウェブやアプリケーション使用場面と共存するウェブ広告と異なり、スマートフォンの全画面に対しての広告宣伝を可能とするものである。配信される広告情報は、例えばGPS、時間帯及びユーザがアプリケーション登録時に提供する性別、生年月日の情報を参照して決定され、広告主に対して、スマートフォンユーザがウェブやアプリケーションを使用する直前あるいは直後に訴求力の高い効果的な広告を宣伝する手段を提供でき、ユーザに対しては、ウェブやアプリケーションの使用を阻害せずに有益な広告宣伝情報を受け取る機会を提供することが出来る。
【図面の簡単な説明】
【００１１】
【図１】本発明の実施形態における通信システムの構成を示す概略図である。
【図２】本発明の実施形態の通信システムにおける、クライアント端末としてのスマートフォンと、広告配信装置とを示すブロック図である。
【図３】本発明の実施形態における画面表示手順を示す手順図である。
【発明を実施するための形態】
【００１２】
１．通信システム
本発明の通信システムは、詳細を後述するクライアント端末と広告配信装置とを備えている。クライアント端末は、広告配信装置が配信する広告情報を受信し、受信した広告情報に基づく広告を表示する。
通信システムは、さらに、広告配信実績分析部を有することが好ましい。広告配信実績分析部においては、過去にクライアント端末に配信された広告情報が記憶されていて、このように、広告配信実績分析部にて広告情報の実績情報が積みあげることにより、詳細を後述する、広告の対象であるユーザと広告主のニーズとをマッチングさせる精度を高めることができる。この場合、さらに、「広告配信傾向分析部（成果分析ツールの類）」を設けると、より高い精度でのマッチング環境が整うこととなる。なお、広告配信実績分析部、および広告配信傾向分析部は、独立した装置であっても、広告配信装置内に設けられていても良い。
【００１３】
２．クライアント端末
本発明のクライアント端末は、上述の通信システムにおいて用いられ、広告配信装置から配信される広告情報を受信可能である。クライアント端末は、受信した広告情報に基づく広告を表示するモニタ画面等の広告表示手段を有している。そして広告表示手段は、広告配信装置においてクライアント端末を使用しているユーザのユーザ情報に基づいて選択され、クライアント端末側に送信された広告情報に基づく広告を表示する。
【００１４】
本発明のクライアント端末としては、本願明細書において述べる広告表示およびその制御が可能である限り、様々な機器が使用できる。例えば、本発明のクライアント端末には、スマートフォンを始めとする携帯電話、タブレットＰＣ、ノートＰＣ等のコンピュータ等が含まれる。
クライアント端末は、広告表示手段を制御する広告制御手段をさらに有することが好ましい。広告制御手段は、クライアント端末のセキュリティロック解除時に広告を表示するように広告表示のタイミングを制御することが好ましい。これは、ユーザがアプリケーションを使用していないときに広告表示がなされるため、表示画面全域に広告を表示しても、ユーザに不快感を与えることがなく、さらに、ユーザがアプリケーションの使用に備えて表示画面を注視していて、宣伝効果が高められるためである。このため、広告制御手段は、セキュリティロック解除時の他にも、ユーザがアプリケーションを使用していないものの、アプリケーションの使用を開始する直前、あるいはアプリケーションの使用を終えた直後のタイミング等で、広告を表示させるように制御しても良い。例えば、スマートフォンの起動時、あるいは電源を切断時の直前等のタイミングであっても良い。
【００１５】
クライアント端末は、さらに、広告配信装置から送信された広告情報を記憶する広告情報記憶手段を有することが好ましい。
また、クライアント端末においては、広告情報を受信可能なアプリケーションがインストールされていることが好ましい。
【００１６】
３．広告配信装置
本発明の広告配信装置は、上述の通信システムにおいて用いられる。広告配信装置は、広告情報をクライアント端末に送信する広告情報送信手段と、送信する広告情報を、クライアント端末のユーザの情報であるユーザ情報等に基づいて選択する広告情報選択手段とを備えている。広告情報選択手段が、ユーザ情報等に基づいて、クライアント端末に送信する広告情報を選択するため、クライアント端末側の広告表示手段は、ユーザ情報に基づいて選択された広告情報に基づく広告、すなわち、スマートフォン等のクライアント端末を使用しているユーザが必要としている、あるいは高い関心を有していると予想される広告を表示可能である。
【００１７】
広告情報選択手段は、ユーザ情報のみならず、広告配信条件情報に基づいて広告情報を選択することが好ましい。ここで、広告配信条件情報とは、広告主の希望する広告情報配信の条件を示す情報であり、例えば、広告情報を配信する期間、配信対象のユーザの性別、年齢、所在地等を含む。広告情報選択手段は、好ましくは、広告配信条件情報の規定する広告情報配信の条件に合致するユーザを、ユーザ情報に基づいて判断、選択し、当該ユーザへ送信する広告情報を選択する。そしてこの場合、広告配信装置は、広告情報と、広告配信条件情報とを記憶する配信側記憶手段をさらに有することが好ましい。
【００１８】
なお、広告配信条件情報に類似の情報として、広告表示の条件を示す情報である広告表示条件情報を併用しても良い。広告表示条件情報は、例えば、配信した広告情報に基づく広告を所定の期間中に表示する回数、時間等を含む。
【００１９】
また、広告配信装置は、ユーザ情報を記憶するユーザ情報記憶手段をさらに有することが好ましい。ユーザ情報および広告情報の詳細については後述する。
【００２０】
さらに、広告配信装置は、クライアント端末にインストールされたアプリケーションと通信し、クライアント端末での広告表示実績および／または広告クリック実績を示す実績情報を受信する実績情報受信手段と、実績情報を記憶する実績情報記憶手段を有することが好ましい。この場合、広告配信装置の広告情報選択手段は、ユーザ情報等のみならず、実績情報に基づいて送信する広告情報を選択可能であることが好ましく、その結果、そのユーザにとって特に訴求力の高い効果的な広告を表示させることが可能である。
また、広告配信装置は、広告配信頻度調整手段をさらに有することが好ましい。広告配信頻度調整手段は、フリークエンシーコントロールを可能にするものであり、一定期間内における広告配信および／または表示回数を、一日平均でほぼ均等になるように調整する。
【００２１】
４．広告情報
本願明細書における広告情報とは、広告主から依頼された広告を表示するためのデータであって、データ形式、データ容量については特に限定がないものの、JPEG/PNGによる４８０×７６０ピクセルの画像データであることが好ましい。
【００２２】
５．ユーザ情報
本発明におけるユーザ情報とは、クライアント端末のユーザに関する情報である。より具体的には、ユーザ情報は、ユーザ固有の情報、例えば、ユーザの性別、生年月日、のみならず、ユーザによるそのときのクライアント端末の使用状況に関する情報、例えば、使用している位置を示すＧＰＳ情報、端末情報等を含む。なお、ユーザ情報のうち、ユーザ固有の情報としてユーザの性別および生年月日のみを用いることにより、ユーザからの最低限の情報開示により、適当な広告表示を実現することができる。ただし、さらに、ユーザの名前、住所、メールアドレス、趣味等のユーザ固有の情報をユーザ情報として活用することにより、広告主のニーズと広告の対象となるユーザとのマッチング精度を高めることもできる。
【００２３】
６．アプリケーション
本発明におけるアプリケーションとは、スマートフォン等のクライアント端末にインストール可能なソフトウェア全般を意味しており、例えば、ゲームや電子書籍などのみならず、具体的な作業を目的としているソフトウェアを含む。
【００２４】
７．広告表示方法
本発明の広告表示方法は、上述の通信システムにより実現可能であり、広告情報を受信可能なクライアント端末において、広告配信装置から広告情報を配信して広告を表示する方法である。本発明の広告表示方法は、広告情報選択工程と、広告情報送信工程と、広告表示工程を含む。広告情報選択工程では、広告配信装置が、送信する広告情報を、クライアント端末のユーザの情報であるユーザ情報に基づいて選択する。広告情報送信工程では、広告配信装置が、広告情報をクライアント端末に送信する。そして広告表示工程では、クライアント端末が、受信した広告情報に基づく広告を表示する。
【００２５】
広告表示工程においては、広告表示手段が、クライアント端末を使用しているユーザのユーザ情報に基づいて選択された広告情報に基づく広告を所定のタイミングで表示する。このとき、ユーザ情報のみならず、上述の広告配信条件情報、および広告に関する実績情報等に基づいて選択された広告情報に基づく広告を表示することも可能である。
【００２６】
８．広告表示プログラム
本発明の広告表示プログラムは、上述の通信システムにおける広告表示プログラムであり、上述の各工程に対応する広告情報選択ステップ、広告情報送信ステップ、および広告表示ステップをコンピュータに実行させるためのプログラムである。広告情報選択ステップにおいては、広告配信装置の広告情報選択手段が、送信する広告情報を、広告情報を受信するクライアント端末のユーザの情報であるユーザ情報に基づいて選択する。広告情報送信ステップでは、広告配信装置の広告情報送信手段が、広告情報をクライアント端末に送信する。
【００２７】
広告表示ステップにおいては、広告表示手段が、受信した広告情報に基づく広告、すなわち、クライアント端末を使用しているユーザのユーザ情報に基づいて選択された広告情報に基づく広告を所定のタイミングで表示する。このとき、ユーザ情報のみならず、上述の広告配信条件情報、および広告に関する実績情報等に基づいて選択された広告情報に基づく広告を表示することも可能である。
【００２８】
９．記憶媒体
本発明の記憶媒体においては、上述の広告表示プログラムが記憶されている。
【００２９】
次に、本発明を実施するための形態について図に沿って示すこととする。なお、背景技術や課題などで先に述べた内容と共通の前提事項は適宜省略する。
【実施例】
【００３０】
本発明の通信ネットワーク１０（通信システム）は、図１に示されるように、スマートフォン端末２０（クライアント端末）、および広告配信装置部４０（広告配信装置）を含む。そして、スマートフォン端末２０のユーザＡは、広告情報を受信可能なアプリケーションをスマートフォン端末２０にインストールする。なおユーザＡは、例えば、Ｂ県在住の２０歳の男性であり、Ｃ地区の大学に通う大学生である。このユーザＡは、アプリケーションインストール時に、アプリケーションからの許可要求に応じてセキュリティロック解除時の広告表示を予め許可する。また、ユーザＡは、ユーザ情報として自分の「性別」および「生年月日」等をアプリケーション内に入力する。これらのユーザ情報は、スマートフォン端末２０のアプリケーション部２２に設けられた端末側ユーザ情報記憶メモリ２３（図２参照）に記憶される。
【００３１】
ユーザＡのユーザ情報は、端末側ユーザ情報記憶メモリ２３に記憶されるとともに、登録時送信回路２５により広告配信装置部４０に送信される。広告配信装置部４０においては、ユーザＡのユーザ情報が、登録時受信メモリ４１において受信され、ユーザ情報記憶メモリ４２（ユーザ情報記憶手段）において記憶される。
【００３２】
なお、スマートフォン端末２０の起動時に、アプリケーション部２２は、スマートフォン端末２０の現在位置を示すＧＰＳ情報、およびスマートフォン端末２０を識別するための端末情報を受信し、端末側ＧＰＳ情報記憶メモリ２７に一時的に記憶する。このＧＰＳ情報は、定期的に、定期送信回路２９により広告配信装置部４０に送信される。広告配信装置部４０では、ＧＰＳ情報が、定期受信メモリ４３において受信され、ユーザ情報記憶メモリ４２（ユーザ情報記憶手段）において記憶される。
【００３３】
また、通信ネットワーク１０においては、スマートフォン端末２０等のクライアント端末で表示される広告を依頼することができる。そして広告主ｘは、全国の繁華街に店舗を構えるファーストフード店を経営しており、今夏、上述のＣ地区で大規模な内装リニューアルを施した店舗を広告宣伝したいと考え、本広告配信装置部４０を用いた広告宣伝を希望することとなった。この広告主ｘは、主にＣ地区内で若い男性に対して、正午から夕刻に広告宣伝をしたいと考えている。そこで広告主ｘは、入力用端末（図示せず）を用いて、リニューアルした添付の画像データを含む広告情報を、JPEG/PNGによる４８０×７６０ピクセルの画像データとして入力する。さらに、広告主ｘは、「８月１０日〜２０日、１２：００〜１６：００、Ｃ地区、男性、１６歳〜２２歳」に向けて１００，０００回の広告表示を行うという広告配信条件を示す広告配信条件情報と、ただし、一人に一回のみの表示するという付帯的な広告表示条件を示す広告表示条件情報とを入力する。
【００３４】
広告主ｘにより入力された広告情報、広告配信条件情報、および広告表示条件情報は、広告配信装置部４０に送信され、配信側メモリ４５（配信側記憶手段）においてそれぞれ記憶される（図２参照）。
【００３５】
本実施例においては、スマートフォン端末２０のアプリケーション部２２と広告配信装置部４０との通信は、基本的に１時間ごとに行われる。すなわち、アプリケーション部２２は、１時間毎に、先の１時間での広告表示実績情報と現在のGPS情報等を広告配信装置部４０に送信し、ほぼ同時に、広告配信装置部４０は、受信したこれらの情報に基づいて、次の１時間にスマートフォン端末２０において表示させるべき広告情報を決定し、アプリケーション部２２に送信する。
【００３６】
このような制御により、セキュリティロックを解除するときの広告情報に関する通信と、通信に伴う処理とを不要にし、スマートフォン端末２０のユーザ利便性を損なうことを防止できる。また、ロック解除時に常にユーザが通信可能な環境にいるとはいえないため、通信可能な時点でバックグラウンド処理を行う。バックグラウンドでの通信時刻は一律に定めているものではなく、個々のクライアント端末において、前回通信成功時から１時間後に、次の通信を行うように制御する。そして通信に失敗した場合、その後１０分おきに通信を試みて、通信成功時点より、また１時間毎に通信を行う。通信ネットワーク１０をこのように制御することにより、スマートフォン等のクライアント端末において、特に大きな懸念となっている「バッテリー消費」の問題を最小限に抑えられる。
【００３７】
なお、上述のように、通信の間隔を１時間という比較的長い時間に設定することにより、スマートフォン端末２０を所持するユーザが移動すると、最新のＧＰＳ情報と時間帯情報での広告表示は必ずしも実現できず、リアルタイム性を損ない、最大で１時間の遅れが生じる可能性がある。しかしながら、例えば、首都圏での目的地間移動においては、ある目的地点に到達後、次の目的地への移動を開始するまでの間に概ね１時間はかかることも多く、ＧＰＳ情報の送受信の遅延による影響はさほど大きくはないといえる。なお、本実施例では、ＧＰＳ情報によるスマートフォン端末２０の現地点は、市区町村単位で判断されるため、同市区町村内等での移動において、ＧＰＳ情報の送受信の遅延は問題とはならない。
【００３８】
本実施例における、１時間毎の通信においては、その間（１時間の内）のセキュリティロックの解除の指示に対する制御（広告表示回数および複数広告の表示順など）は、アプリケーション部２２の広告制御回路（広告制御手段）３６において実行される。このように、本実施例では、広告配信装置部４０側が広告配信を制御し、アプリケーション部２２が、通信のタイミングの間での広告表示を制御する。
【００３９】
一方、ユーザＡは大学のサークル会合に出席する為、大学に出かけ、８月１０日１３時にＣ地区内の駅に到着する。このとき、ユーザＡの所持するスマートフォン端末２０にインストールされている上述のアプリケーションは、広告配信装置部４０に、ユーザＡのＧＰＳ情報を送信する。そして広告配信装置部４０の広告配信条件制御部４６は、ユーザ情報記憶メモリ４２に記憶されているユーザＡのユーザ情報、およびＧＰＳ情報と、広告配信条件情報に基づいて、ユーザＡが上記広告主ｘの広告配信条件に合致していると判断する。この結果、広告配信条件制御部４６（広告情報選択手段）は、次回、ユーザＡがスマートフォン端末２０のセキュリティロックを解除する時に表示される広告情報として、広告主ｘの広告情報を選択し、この広告情報を送信することを決定する。
【００４０】
ユーザＡは上述のＣ地区内の駅に到着した後、待ち合わせている友人に連絡しようとスマートフォン端末２０のセキュリティロックを解除する。このとき、上述のように、スマートフォン端末２０と広告配信装置部４０との間で、直ちに通信が行われるのではなく、広告配信装置部４０側では、広告配信条件制御部４６の制御の下で、配信側メモリ４５に記憶されていた広告主ｘのリニューアル店舗の広告情報、および広告表示条件情報が、上述の１時間毎の通信タイミングで予め、広告情報送信回路４８（広告情報送信手段）に送信されていたのであり、さらに、その通信時において、広告情報送信回路４８が、広告情報および広告表示条件情報を、スマートフォン端末２０に送信していた状況にある。
【００４１】
そしてスマートフォン端末２０側においては、広告情報受信回路３０が、その通信時において、広告情報および広告表示条件情報を受信していたのであり、広告情報はさらに、広告情報メモリ３２（広告情報記憶手段）に送信されていた状況にある。このような状況下において、ユーザＡによりスマートフォン端末２０のセキュリティロックが解除されると、アプリケーション部２２の広告制御回路（広告制御手段）３６は、広告情報受信回路３０に記憶されている広告表示条件情報に従って、広告情報メモリ３２から広告情報をモニタ画面２４（広告表示手段）に送信させる。
【００４２】
この結果、モニタ画面２４上では、セキュリティロック画面３３が消え、直ちにユーザＡに対する広告画面３４が表示される（図３参照）。この広告画面３４は、広告主ｘの広告情報に基づくものであるため、モニタ画面２４は、広告主ｘのリニューアル店舗、およびリニューアル店舗での提供品等を表示する。ここで、広告画面３４の表示に関する様々な条件が設定可能である。上述の広告表示条件情報により、例えば、広告画面３４の表示時間を設定可能であるのみならず、ユーザが、広告画面３４の所定の領域をクリックすると、より詳細な広告内容を示す画像をモニタ画面２４上に表示させるといった制御も可能である。所定の表示時間が終了すると、モニタ画面２４上には、ユーザＡの指定したアプリケーションの画面３５が表示される（図３参照）。
【００４３】
このように、実際にモニタ画面２４上に広告が表示されると、インストールされたアプリケーションと広告配信装置部４０との通信の結果、広告の実績を示す実績情報が、スマートフォン端末２０の広告情報送信回路３８（端末側広告情報送信手段）から、広告配信装置部４０側の広告情報受信回路５０（実績情報受信手段）に送信される。そして広告情報受信回路５０により受信された実績情報は、配信側メモリ４５（実績情報記憶手段）において記憶される。実績情報には、スマートフォン端末２０での広告表示の回数、または、その広告画面に対するユーザのクリック操作の回数等が含まれる。このため、記憶された実績情報をその後の広告に活用すると、広告実績の優れた広告情報を優先的に配信する等の制御も可能になる。
【００４４】
なお、翌日もユーザＡは前日と同様にＣ地区に出かけるため、広告配信装置部４０は、前日と同様に広告情報に関する判断を実行する。ただし、スマートフォン端末２０側のアプリケーション部２２においては、広告主ｘの広告表示条件、すなわち、一人のユーザに対して一回のみ広告を表示するという広告表示条件に従って、ユーザＡのセキュリティロック解除時に広告主ｘの広告情報を表示しない。
【００４５】
本実施例によれば、広告対象に関心のある、あるいは広告が奏功し易いと考えられるユーザのスマートフォン端末２０に対して選択的に、広告主の希望する条件に沿った広告を表示することができる。このように、本願発明によれば、広告主に対しては、スマートフォンユーザがウェブやアプリケーションを使用する直前等に、訴求力の高い効果的な広告を宣伝する手段を提供することができ、ユーザに対しては、ウェブやアプリケーションの使用を阻害されないタイミングで、例えばモニタ画面の全面を使って表示された有益な広告宣伝情報を受け取る機会を提供可能である。
【００４６】
本願発明は、上述の実施例には限定されない。例えば、クライアント端末２０のアプリケーション部２２と広告配信装置部４０との通信は、１時間よりも短い間隔、例えば、１０分〜１時間未満等の間隔で行っても良い。一方、実質的にリアルタイムに近い間隔、例えば、３分間以下、好ましくは１分間以下等の間隔で通信を実現しても良い。この場合、常に最適なＧＰＳ情報と時間帯情報に基づいて、どのような広告を表示させるか、すなわち、どの広告情報を選択するか、の判断が可能となる。
また、クライアント端末のセキュリティロックを解除する度に、広告配信装置部４０との通信を実施させても良い。この場合、クライアント端末のバッテリー消費を最小限に抑えつつ、最新のＧＰＳ情報と時間帯情報に基づいて、表示する広告を選択することができる。
【００４７】
また、広告表示のタイミングは、セキュリティロック解除時に限定されず、ユーザがアプリケーションを使用していないものの、アプリケーションの使用を開始する直前、あるいはアプリケーションの使用を終えた直後のタイミング、例えば、スマートフォンの起動時、あるいは電源を切断する直前等のタイミングであっても良い。
【符号の説明】
【００４８】
１０  通信ネットワーク（通信システム）
２０  スマートフォン端末（クライアント端末）
２４  モニタ画面（広告表示手段）
３２  広告情報メモリ（端末側広告情報記憶手段）
３６  広告制御回路（広告制御手段）
４０  広告配信装置部（広告配信装置）
３８  広告情報送信回路（端末側広告情報送信手段）
４２  ユーザ情報記憶メモリ（ユーザ情報記憶手段）
４５  配信側メモリ（配信側記憶手段・実績情報記憶手段）
４６  広告配信条件制御部（広告情報選択手段）
４８  広告情報送信回路（広告情報送信手段）
５０  広告情報受信回路（実績情報受信手段）
【図１】
2015045827.tif 000003
【図２】
2015045827.tif 000004
【図３】
2015045827.tif 000005